(57)【要約】【課題】本発明は筆を収納した筆巻きの外周部に巻付けるだけで、確実に筆巻きを締付け固定することができる筆巻き用の留め具および筆巻きを提供することを目的を得るにある。【解決手段】未使用時ではロール状態となり、このロール状態を伸ばして筆が収納された筆巻きの外周部に取付けると、該筆巻きの外周部に巻付いて締付け状態にすることができる弾性を有するロール状のシートとで筆巻き用の留め具を構成している。【選択図】図１
2004008691.tif 000002
【特許請求の範囲】
【請求項１】
未使用時ではロール状態となり、このロール状態を伸ばして筆が収納された筆巻きの外周部に取付けると、該筆巻きの外周部に巻付いて締付け状態にすることができる弾性を有するロール状のシートとからなることを特徴とする筆巻き用留め具。
【請求項２】
筆巻き本体と、この筆巻き本体の一端部あるいは一端部寄りの部位に形成された、未使用時ではロール状態となり、このロール状態を伸ばして筆を収納した前記筆巻き本体の外周部に取付けると、該筆巻きの外周部に巻付いて締付け状態にすることができる、弾性を有するロール状のシートで形成された筆巻き用留め具とからなることを特徴とする筆巻き。
【請求項３】
筆巻き用留め具は、筆が収納された筆巻きあるいは筆巻き本体の外周部中央および中央寄りの部位を締付けることができるように所定幅で形成されていることを特徴とする請求項１、２記載の筆巻き用留め具および筆巻き。
【請求項４】
筆巻き用留め具は、透明樹脂材で形成されていることを特徴とする請求項１、３記載の筆巻き用留め具および筆巻き。
【発明の詳細な説明】
【０００１】
【発明の属する技術分野】
本発明は筆を収納した筆巻きを確実に締付け固定することができる筆巻き用留め具および筆巻きに関する。
【０００２】
【従来の技術】
従来、筆巻きは、一端部中央に、先端部に掛け爪片が取付けられた留め紐が取付けられている。
【０００３】
【発明が解決しようとする課題】
従来の筆巻きは、留め紐を充分に締付けて巻付けないと、容易に筆先等が外方に出てしまい筆を傷めてしまうという不具合が生じるので、取り扱いが慎重になり、手軽に筆巻きを用いることができないという欠点があった。
また、留め紐で充分に締付けて巻付け、掛け爪片で固定しても、カバン等に収納する際に他の道具類等と擦れたり、移動時の衝撃等によって、前記掛け爪片が容易に外れてしまい、留め紐の締付け状態が容易に緩んでしまうという欠点があるとともに、長期間使用していると掛け爪片が容易に取れてしまうという欠点があった。
【０００４】
本発明は以上のような従来の欠点に鑑み、筆を収納した筆巻きの外周部に巻付けるだけで、確実に筆巻きを締付け固定することができる筆巻き用の留め具および筆巻きを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は、未使用時ではロール状態となり、このロール状態を伸ばして筆が収納された筆巻きの外周部に取付けると、該筆巻きの外周部に巻付いて締付け状態にすることができる弾性を有するロール状のシートとで筆巻き用留め具を構成している。
【０００７】
また、本発明は、筆巻き本体と、この筆巻き本体の一端部あるいは一端部寄りの部位に形成された、未使用時ではロール状態となり、このロール状態を伸ばして筆を収納した前記筆巻き本体の外周部に取付けると、該筆巻きの外周部に巻付いて締付け状態にすることができる、弾性を有するロール状のシートで形成された筆巻き用留め具とで筆巻きを構成している。
【０００８】
【発明の実施の形態】
以下、図面に示す実施の形態により、本発明を詳細に説明する。
【０００９】
図１ないし図４に示す本発明の第１の実施の形態において、１は筆を収納した筆巻きの外周部に巻付けるだけで、確実に筆巻きを締付け固定することができる本発明の筆巻き用留め具で、この筆巻き用留め具１は、未使用時ではロール状態となり、このロール状態を伸ばして筆が収納された筆巻きの外周部に取付けると、該筆巻きの外周部に巻付いて締付け状態にすることができる弾性を有するロール状のシート２とで構成されている。
【００１０】
前記ロール状のシート２は、略軸心部から外方にむけてロール部３が形成され、筆が収納された筆巻きの、少なくとも外周部中央および中央寄りの部位を締付けることができるように所定幅寸法で形成されている。
また、前記ロール状のシート２は、弾性を有する透明プラスチック等の樹脂材で形成され、筆巻きの留め紐の固定部位が透けて見えるように構成されている。さらに、前記ロール状のシート２の外方側端部の縁部２ａには、該縁部２ａを保護するために、バイヤステープ等の被覆材４が貼着されている。
【００１１】
上記構成の筆巻き用留め具１は、使用時は図３に示すように、ロール部３を伸ばして、筆５が収納された筆巻き６の外周部に巻付けるように取付ける。
この場合、図４に示すように、筆巻き６に巻付けられた筆巻き用留め具１は、弾性力によって、元のロール状に復元する力が作用するので、該筆巻き６を締付けることができる。したがって、前記筆巻き６を確実に締付け固定することができる。
また、前記筆巻き用留め具１は、前記筆巻き６に形成された、先端部に掛け爪片７を取付けた留め紐８による固定部９を覆うように取付けることができるので、該固定部９を確実に保護することができる。
なお、本実施の形態では、前記ロール状のシート２の外方側端部の縁部２ａに、被覆材４を構成したものについて説明したが、本発明はこれに限らず、例えば図５に示すように、前記ロール状のシート２の両側縁部２ｂ、２ｂを覆うように構成したり、図６に示すように外方側端部の縁部２ａおよび両側縁部２ｂ、２ｂを覆うように構成してもよい。
また、前記ロール状のシート２の縁部全周をアール処理することにより、前記バイヤステープ等の被覆材４を用いないで構成してもよい。
【００１２】
【発明の異なる実施の形態】
次に、図７ないし図１６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図７および図８に示す本発明の第２の実施の形態において、前記本発明の第１の実施の形態と主に異なる点は、長手方向に幅寸法を有するように形成されたロール状のシート２Ａを用いた点で、このように形成されたロール状のシート２Ａを構成した筆巻き用留め具１Ａにしても前記本発明の第１の実施の形態と同様な作用効果が得られる。
【００１４】
図９ないし図１１に示す本発明の第３の実施の形態において、前記本発明の第１の実施の形態と主に異なる点は、ロール状のシート２の外方側の端部寄りの内面２ｃにシリコンゴム等の軟性樹脂材を塗布あるいは貼着して抵抗部１０を形成した点で、このように形成された抵抗部１０を構成した筆巻き用留め具１Ｂにしても前記本発明の第１の実施の形態と同様な作用効果が得られるとともに、抵抗部１０によって摩擦抵抗が増すので、締付け状態を強固に保つことができる。
【００１５】
図１２ないし図１４に示す本発明の第４の実施の形態において、前記本発明の第１の実施の形態と主に異なる点は、筆巻き本体１１と、この筆巻き本体１１の一端部あるいは一端部寄りの部位、本実施の形態では一端部中央および中央寄りの部位に形成された、未使用時ではロール状態となり、このロール状態を伸ばして筆５を収納した前記筆巻き本体１１の外周部に取付けると、該筆巻き本体１１の外周部に巻付いて締付け状態にすることができる、弾性を有するロール状のシート２Ｂで形成された筆巻き用留め具１Ｃとで筆巻き１２を構成した点で、このように構成された筆巻き１１を用いても前記本発明の第１の実施の形態と同様な作用効果が得られるとともに、筆巻き本体１１の締付け固定を筆巻き用留め具１Ｃだけで行うことができるので、簡易に筆５等を収納することができる。
なお、前記筆巻き本体１１は、従来からある竹製等で形成されているとともに、前記筆巻き用留め具１Ｃは、一端部に中央部を切欠いた略Ｃ字状の取付け片１３、１３が形成され、他端部に向けてロール部３が形成されており、前記筆巻き本体１１の一端部の縁材１１ａに、該縁材１１ａの外周を覆うように前記取付け片１３、１３の先端を差し込んだ後、該取付け片１３、１３の先端部を接着剤、溶着等の固定手段によって抜け脱不能に固定している。
さらに、本実施の形態では、筆巻き用留め具１Ｃを、筆巻き本体１１の縁材１１ａに取付けたものについて説明したが、本発明はこれに限らず、前記筆巻き本体１１の一端部寄りの部位に取付けて構成してもよい。
また、本実施の形態では、筆巻き用の留め具１Ｃを、取付け片１３、１３で筆巻き本体１１の縁材１１ａに取付けるように構成したものについて説明したが、本発明はこれに限らず、筆巻き本体１１の縁材１１ａに取付け孔を所定間隔離間させて複数形成するとともに、筆巻き用の留め具１の外方側端部の縁部２ａにも同じような取付け孔を複数形成して、該筆巻き用の留め具１の取付け孔と前記縁材１１ａの取付け孔に略リング状の金具を通して筆巻きを構成する等、筆巻き用の留め具１を筆巻き本体１１に取付けることができる態様であれば、どのような態様でもよい。
【００１６】
図１５および図１６に示す本発明の第５の実施の形態において、前記本発明の第４の実施の形態と主に異なる点は、他端部に２重のロール部３Ａが形成された１枚のロール状のシート２Ｃで筆巻き用留め具１Ｄを構成した点で、このように構成された筆巻き用留め具１Ｄを構成した筆巻き１２Ａにしても前記本発明の第４の実施の形態と同様な作用効果が得られるとともに、筆巻き用留め具１Ｄのロール部３Ａが２重に形成されているので、締付け状態をより強くすることができる。
なお、本実施の形態において、ロール状のシート２Ｃを１枚で構成したものについて説明したが、本発明はこれに限らず、２枚を重ね合わせた状態のロール状のシートで構成してもよい。
【００１７】
なお、本発明の各実施の形態において、ロール状のシート２、２Ａ、２Ｂ、２Ｃは、弾性を有する透明プラスチックで形成されたものについて説明したが、本発明はこれに限らず、弾性を有する材質であれば、例えば、半透明プラスチック、不透明プラスチック、ビニール材、軽量金属材等で構成してもよい。
【００１８】
【発明の効果】
以上の説明から明らかなように、本発明にあっては次に列挙する効果が得られる。
【００１９】
（１）未使用時ではロール状態となり、このロール状態を伸ばして筆が収納された筆巻きの外周部に取付けると、該筆巻きの外周部に巻付いて締付け状態にすることができる弾性を有するロール状のシートとで構成されているので、筆を収納した筆巻きの外周部に巻付けるだけで、確実に筆巻きを締付け固定することができる。したがって、誰もが簡易に筆巻きを使用することができる。
【００２０】
（２）前記（１）によって、筆巻きの留め紐部位を覆うように巻付けることにより、該留め紐部位を保護することができる。したがって、留め紐に取付けられた掛け爪片が取れてしまう等の不具合を確実に回避することができる。
【００２１】
（３）前記（１）によって、構造が簡単であるので、容易に実施することができる。
【００２２】
（４）請求項２、３も前記（１）〜（３）と同様の効果が得られる。
【００２３】
（５）請求項４も前記（１）〜（３）と同様の効果が得られるとともに、ロール状のシート材が透明樹脂材で形成されているので、筆巻きの留め紐の留め状態を外方から確認することができる。
【図面の簡単な説明】
【図１】本発明の第１の実施の形態の斜視図。
【図２】本発明の第１の実施の形態の一端部を展開した状態の説明図。
【図３】本発明の第１の実施の形態の使用状態の説明図。
【図４】図３の４−４線に沿う拡大断面図。
【図５】被覆材の異なる構成を示した説明図。
【図６】被覆材の異なる構成を示した説明図。
【図７】本発明の第２の実施の形態の斜視図。
【図８】本発明の第２の実施の形態の使用状態の説明図。
【図９】本発明の第３の実施の形態の斜視図。
【図１０】本発明の第３の実施の形態の一端部を展開した状態の説明図。
【図１１】本発明の第３の実施の形態の締付け状態を示した説明図。
【図１２】本発明の第４の実施の形態の説明図。
【図１３】図１２の１３−１３線に沿う拡大断面図。
【図１４】本発明の第４の実施の形態の使用状態の説明図。
【図１５】本発明の第５の実施の形態の説明図。
【図１６】図１５の１６−１６線に沿う拡大断面図。
【符号の説明】
１、１Ａ〜１Ｄ：筆巻き用留め具、　２、２Ａ〜２Ｃ：ロール状のシート、
３、３Ａ：ロール部、　　　　　　　４：被覆材、
５：筆、　　　　　　　　　　　　　６：筆巻き、
７：掛け爪片、　　　　　　　　　　８：留め紐、
９：固定部、　　　　　　　　　　　１０：抵抗部、
１１：筆巻き本体、　　　　　　　　１２、１２Ａ：筆巻き、
１３：取付け片。
【図１】
2004008691.tif 000003
【図２】
2004008691.tif 000004
【図３】
2004008691.tif 000005
【図４】
2004008691.tif 000006
【図５】
2004008691.tif 000007
【図６】
2004008691.tif 000008
【図７】
2004008691.tif 000009
【図８】
2004008691.tif 000010
【図９】
2004008691.tif 000011
【図１０】
2004008691.tif 000012
【図１１】
2004008691.tif 000013
【図１２】
2004008691.tif 000014
【図１３】
2004008691.tif 000015
【図１４】
2004008691.tif 000016
【図１５】
2004008691.tif 000017
【図１６】
2004008691.tif 000018